(57)【要約】【課題】平滑用コンデンサに流れる各種周波数成分のリプル電流を、基準となる周波数に換算したリプル電流実効値が最小となる様に制御することが可能な直流電源装置を提供すること。【解決手段】交流電圧位相検出部１１と、電流検出部１２と、出力電圧検出部１４とを備えて、昇圧チョッパ回路８の入力電流が電流指令に比例した振幅を有する電流波形になる様に、スイッチング素子４をオン・オフする直流電源装置であって、さらに、入力電流のチョッピングの休止区間が所望の休止区間になる様、直流電圧を制御することにより、リプル電流は基準となる周波数に換算したリプル電流実効値を低減し、平滑用コンデンサの自己発熱を抑えることができるので、寿命を延長させると共に、平滑用コンデンサの小容量化を実現することが可能となる。【選択図】図１
2013021882.tif 000002
【特許請求の範囲】
【請求項１】
交流電源からの交流電圧を直流電圧に変換して負荷電圧とする直流電源装置であって、
前記交流電源をリアクタを介して開放・短絡することで入力電流をチョッピングするスイッチング素子と、
前記交流電源の交流電圧の瞬時値の絶対値が最大となる位相付近において凹部、または平坦部を有する電流指令を記憶する電流指令記憶部と、
前記交流電源の交流電圧の位相及び交流電圧の周期を検出する電圧位相検出部と、
前記交流電源の交流電圧に同期した前記電流指令により、入力電流の電流波形が電流指令に比例した振幅を有する電流波形となる様に制御する電流制御部と、
前記直流電圧を制御する電圧制御部と、
前記直流電圧のリプル電圧を低減する平滑用コンデンサと、を備え、
前記電圧制御部は、前記直流電圧が前記交流電源の交流電圧の瞬時ピーク値の絶対値より低くなる様に制御することを特徴とする直流電源装置。
【請求項２】
前記電流指令が前記交流電圧の瞬時値の絶対値が最大となる位相付近において凹部を有する場合においては、前記電流指令の凹部に所望のチョッピングの休止区間を有し、前記電流指令が前記交流電圧の瞬時値の絶対値が最大となる位相付近において平坦部を有する場合においては、前記平坦部に所望のチョッピングの休止区間を有する様に制御することを特徴とする、請求項１に記載の直流電源装置。
【請求項３】
前記チョッピングの休止区間を検出する手段を備えて、
前記チョッピングの休止区間が所望の休止区間になる様に、前記電圧制御部にて直流電圧を制御することで実現することを特徴とする、請求項１または請求項２に記載の直流電源装置。
【発明の詳細な説明】
【技術分野】
【０００１】
本発明は、交流電源からの交流電圧を直流電圧に変換し負荷電圧とする直流電源装置に関するものである。
【背景技術】
【０００２】
従来、交流電源からの交流電圧を直流電圧に変換し負荷電圧とする直流電源装置では、負荷電圧（出力電圧）のリプル変動を低減する為、平滑用コンデンサが接続される。
【０００３】
平滑用コンデンサには、出力電圧のリプル電圧に応じたリプル電流が流れる。このリプル電流は平滑用コンデンサの自己発熱の原因となる。
【０００４】
なお、平滑用コンデンサの自己発熱を抑制する為、リプル電流を低減する方法が挙げられる。リプル電流を低減するには、平滑用コンデンサを大容量化することが提案される。しかし、これは、商品のコストの上昇及び重量の増加に繋がる。
【０００５】
従来、平滑用コンデンサに流れるリプル電流を低減できる直流電源装置は、例えば特許文献１に開示されている（図５参照）。この直流電源装置は、交流電源１がリアクタ２を介して整流する整流回路３と、チョッピングするスイッチング素子４と、逆阻止ダイオード５及び平滑する平滑用コンデンサ６からなる昇圧チョッパ回路を備える。また、この直流電源装置は、交流電源１の電圧波形（図６（ａ））と、予め関数発生器２１に記憶された電圧波形（図６（ｂ）を加算器２２により加算し、加算した結果を駆動信号（図６（ｃ））としてスイッチング素子を駆動することにより、入力電流は（図６（ｄ））の様な波形となる。入力電流波形は（図６（ｄ））に示された波形になることにより、平滑用コンデンサ６に流れるリプル電流が低減できる。
【先行技術文献】
【特許文献】
【０００６】
【特許文献１】特開平１−７４０６０号公報
【発明の概要】
【発明が解決しようとする課題】
【０００７】
しかしながら、前記従来例の様な入力電流波形にすることで、平滑用コンデンサに流れるリプル電流に含まれる低周波数成分は低減されるものの、高周波成分は考慮されなかった。平滑用コンデンサの自己発熱は、リプル電流の高、低周波数成分の比率により異なる。よって、リプル電流の高周波成分を含めて考慮すると、リプル電流が最小とならない、すなわち平滑用コンデンサの自己発熱が最小とならないという課題を有する。
【０００８】
本発明の直流電源装置は、リプル電流の低周波成分を増加する代わりに、高周波成分を低減し、基準となる周波数に換算したリプル電流実効値が最小となる様に制御する。それにより、更なる平滑用コンデンサの自己発熱を低減し、平滑用コンデンサの小容量化を実現することを目的とする。また、この直流電源装置を具備したことを目的とする。
【課題を解決するための手段】
【０００９】
前記従来の課題を解決する為に、本発明の直流電源装置は、交流電源からの交流電圧を直流電圧に変換して負荷電圧とする直流電源装置であって、前記交流電源をリアクタを介して開放・短絡することで入力電流をチョッピングするスイッチング素子と、前記交流電源の交流電圧の瞬時値の絶対値が最大となる位相付近において凹部、または平坦部を有す
る電流指令を記憶する電流指令記憶部と、前記交流電源の交流電圧の位相及び交流電圧の周期を検出する電圧位相検出部と、前記交流電源の交流電圧に同期した前記電流指令により、入力電流の電流波形が電流指令に比例した振幅を有する電流波形となる様に制御する電流制御部と、前記直流電圧を制御する電圧制御部と、前記直流電圧のリプル電圧を低減する平滑用コンデンサと、を備え、前記電圧制御部は、前記直流電圧が前記交流電源の交流電圧の瞬時ピーク値の絶対値より低くなる様に制御するものである。
【００１０】
これにより、前記チョッピングの休止区間を有する様に制御し、リプル電流の低周波成分を増加する代わりに、高周波成分を低減する為、平滑用コンデンサに流れる基準となる周波数に換算したリプル電流実効値を低減し、平滑用コンデンサの自己発熱を抑え、小容量化の実現が可能となる。
【００１１】
また、本発明の直流電源装置は、前記チョッピングの休止区間を検出する手段を備えるものであり、検出したチョッピングの休止区間を所望の休止区間と比較し、所望の休止区間に対する偏差に応じて、前記電圧制御部にて、直流電圧を制御することにより、前記チョッピングの休止区間を所望の休止区間になる様に、制御するものである。
【発明の効果】
【００１２】
本発明の直流電源装置、平滑用電解コンデンサに流れる各種周波数成分のリプル電流は、基準となる周波数に換算したリプル電流実効値が最小となる様に、前記チョッピングの休止区間を制御することにより、平滑用コンデンサの自己発熱を抑え、寿命を最大限に延長させると共に、平滑用コンデンサの小容量化を実現することができる。
【図面の簡単な説明】
【００１３】
【図１】本発明の実施の形態１における直流電源装置の回路構成を示す図
【図２】図１における制御部を示すブロック図
【図３】本発明の実施の形態１における制御方法を示す図
【図４】本発明の実施の形態２におけるチョッピングの休止区間を検出する方法の一例を示す図
【図５】従来の回路構成を示す図
【図６】従来の直流電源装置の回路構成における各部の波形を示す図。具体的に、（ａ）電源からの入力電圧を示す図（ｂ）関数発生器からの出力電圧を示す図（ｃ）スイッチング素子の駆動信号を示す図（ｄ）入力電流波形を示す図
【発明を実施するための形態】
【００１４】
第１の発明は、交流電源からの交流電圧を直流電圧に変換して負荷電圧とする直流電源装置であって、前記交流電源をリアクタを介して開放・短絡することで入力電流をチョッピングするスイッチング素子と、前記交流電源の交流電圧の瞬時値の絶対値が最大となる位相付近において凹部、または平坦部を有する電流指令を記憶する電流指令記憶部と、前記交流電源の交流電圧の位相及び交流電圧の周期を検出する電圧位相検出部と、前記交流電源の交流電圧に同期した前記電流指令により、入力電流の電流波形が電流指令に比例した振幅を有する電流波形となる様に制御する電流制御部と、前記直流電圧を制御する電圧制御部と、前記直流電圧のリプル電圧を低減する平滑用コンデンサと、を備え、前記電圧制御部は、前記直流電圧が前記交流電源の交流電圧の瞬時ピーク値の絶対値より低くなる様に制御する。
【００１５】
それにより、前記チョッピングの休止区間を有する様に制御し、リプル電流の低周波成分を増加する代わりに、高周波成分を低減する為、平滑用コンデンサに流れる基準となる周波数に換算したリプル電流実効値を低減し、平滑用コンデンサの自己発熱を抑え、小容量化の実現が可能となる。
【００１６】
第２の発明は、前記チョッピングの休止区間を検出する手段を備えるものであり、検出したチョッピングの休止区間を所望の休止区間と比較し、所望の休止区間に対する偏差に応じて、前記電圧制御部にて、直流電圧を制御することにより、前記チョッピングの休止区間を所望の休止区間になる様に、制御するものである。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における直流電源装置の全体構成の回路図を示すものである。
【００１９】
図１に示すように、実施の形態１における直流電源装置は、リアクタ２、整流回路３、スイッチング素子４、逆阻止ダイオード５、平滑用コンデンサ６を備えて、直流電圧を負荷電圧として負荷７に供給する。
【００２０】
さらに、本実施の形態１における直流電源装置は、交流電圧位相検出部１１、電流検出部１２、駆動部１３、出力電圧検出部１４、制御部１００を備える。
【００２１】
交流電圧位相検出部１１は、交流電源１のゼロクロスを検出する。
【００２２】
電流検出部１２は（例えば、ＣＴ）、昇圧チョッパ回路８の入力電流を検出する。
【００２３】
駆動部１３は、昇圧チョッパ回路８のスイッチング素子をオン・オフさせる駆動信号を出力する。
【００２４】
出力電圧検出部１４は、昇圧チョッパ回路８の出力直流電圧を検出する。
【００２５】
制御部１００は、マイクロコンピューターなどからと構成され、交流電圧位相検出部１１と、電流検出部１２及び出力電圧検出部１４の検出信号を受信し、駆動部１３の駆動信号を生成して、駆動部１３に駆動信号を出力する。
【００２６】
図２は、図１の制御部１００の内部ブロック図の一例を示す図である。制御部１００は、交流電圧位相演算部１０１、電流指令演算部１０２、電流指令記憶部１０３、出力電圧演算部１０４、電流制御部１０５、搬送波１０６、駆動信号生成部１０７を備える。
【００２７】
以下、図１と図２を用いて、本実施の形態における直流電源装置の動作原理を説明する。
【００２８】
まず、図１において、直流電源装置は、交流電源１を整流回路３にて整流されて、リアクタ２とスイッチング素子４にて短絡する回路を有する。昇圧チョッパ回路８の入力電流を検出できる様、電流検出部１２を設けて、電流検出結果を制御部１００に入力する。
【００２９】
昇圧チョッパ回路８のスイッチング素子４をオンすることにより、交流電源１を整流回路３を介して短絡する。それにより、リアクタ２に流れる電流が増加する。一方、スイッチング素子４をオフすると、リアクタ２を流れる電流は、逆阻止ダイオードを通して、平滑用コンデンサ６及び負荷７に流れて、負荷７に電力を供給する。負荷７に印加されている直流電圧を検出できる様、出力電圧検出部を設けて、出力電圧検出結果を制御部に入力する。
【００３０】
さらに、交流電源１の周期を検出できる様、交流電圧位相検出部１１を設けて、交流電圧位相検出結果を制御部１００に入力する。
【００３１】
次に、図２を用いて、制御部１００の動作を説明する。
【００３２】
位相演算部１０１は、交流電圧位相検出部１１の出力から交流電源１の電圧位相の推定演算を行うと共に、交流電圧の周期が得られる。
【００３３】
出力電圧演算部１０４は、出力電圧検出部１４での検出電圧結果を、所望の電圧と比較し比例積分補償演算を行う。
【００３４】
電流指令記憶部１０３は、電流指令の形状を記憶する。電流指令の形状は、交流電圧の瞬時値の絶対値が最大となる位相付近において凹部、または平坦部を有することを特徴となる。
【００３５】
電流指令演算部１０２は、位相演算部１０１によって得られる交流電圧の周期と、出力電圧演算部１０４によって得られる補償値と、電流指令記憶部１０３によって得られる電流指令波形を演算することにより、交流電圧の周期に同期した電流指令を生成する。
【００３６】
電流指令の振幅は、出力電圧演算部１０４の補償値により定まる。出力電圧が所望の電圧より高い場合、電流指令の振幅を小さくする。逆に、出力電圧が所望の電圧より低い場合、電流指令の振幅を大きくする。
【００３７】
電流制御部１０５は、電流検出部１２によって得られる昇圧チョッパ回路の入力電流の瞬時値が、電流指令演算部１０２によって得られる電流指令値となる様、比例積分演算を行う。
【００３８】
搬送波１０６は、搬送波を生成する。
【００３９】
駆動信号生成部１０７は、電流制御部１０５によって得られる信号を、搬送波と比較しＰＷＭ信号を生成し、スイッチング素子の駆動信号を生成する。
【００４０】
次に、図３と図４を用いて、所望のチョッピングの休止区間が存在する様に制御する方法を説明する。
【００４１】
図３（ａ）は、交流電圧の瞬時値の絶対値と直流電圧の関係を示したものである。図３（ｂ）は、電流指令を示したものである。図３（ｃ）は、実際に昇圧チョッパ回路８の入力電流波形を示したものである。
【００４２】
図３に示す様に、直流電圧を低くすることにより、交流電圧が直流電圧より高い位相幅増加し、前記チョッピングの休止区間が増加する。逆に、直流電圧を高くすることにより、交流電圧が直流電圧より高い位相幅が減少し、前記チョッピングの休止区間が減少する。つまり、直流電圧を制御し、入力電圧の瞬時値の絶対値と直流電圧の関係により、前記チョッピングの休止区間を制御することができる。
【００４３】
また、交流電圧が直流電圧より高い位相は、交流電圧の瞬時値の絶対値が最大となる位相付近に存在する。交流電圧が直流電圧より高い位相において、チョッピングが停止する為、前記チョッピングの休止区間は、交流電圧の瞬時値の絶対値が最大となる位相付近に生じる。
【００４４】
次に、平滑用コンデンサの自己発熱と流れるリプル電流の周波数成分の関係を説明する。平滑用コンデンサは主に電解コンデンサが使用される。電解コンデンサの自己発熱ΔＴｘは、下記の算出式（１）、（２）に基づき、算出される。
【００４５】
【数１】
2013021882.tif 000003
【００４６】
【数２】
2013021882.tif 000004
【００４７】
ΔＴ０：定格リプル電流重畳時の自己発熱
Ｉ０：定格リプル電流
Ｉ（ｆ０）：基準となる周波数に換算したリプル電流実効値
Ｉ（ｆｎ）：周波数ｆｎのリプル電流値
Ｋ（ｆｎ）：周波数ｆｎにおける周波数補正係数
電解コンデンサのＥＳＲ（等価直列抵抗）は周波数依存特性がある。リプル電流の周波数が数Ｈｚ〜数十ｋＨｚの範囲において、周波数が高くなればなるほど、ＥＳＲは低くなる。つまり、電解コンデンサに流れ込むリプル電流の実効値が同じであっても、リプル電流の周波数が高ければ、ＥＳＲが低く、電解コンデンサの自己発熱が低い。逆に、リプル電流の周波数が低ければ、ＥＳＲが高く、電解コンデンサの自己発熱が高い。
【００４８】
チョッピングの休止区間を設けることにより、低周波成分（電源周期整数倍の周波数成分）を増加する代わりに、高周波成分（主にキャリア周波数成分）を減少する。さらに、所望のチョッピングの休止区間を設けることにより、基準となる周波数に換算したリプル電流実効値を低減することが可能となり、電解コンデンサの自己発熱を抑えると共に、電解コンデンサの小容量化を実現することができる。
【００４９】
（実施の形態２）
実施の形態２では、前記チョッピングの休止区間を検出し、所望のチョッピングの休止区間と比較する。所望の休止区間との偏差に応じて、直流電圧を制御する。具体的に、検出した休止区間が所望の休止区間より多ければ、直流電圧を高くすることで、チョッピングの休止区間が増加する。逆に、検出した休止区間が所望の休止区間より少なければ、直流電圧を低くすることで、チョッピングの休止区間が減少する。
【００５０】
前記チョッピングの休止区間を検出する方法の一つとして、例えば、図４に示す様に、スイッチング素子を駆動するＰＷＭ信号にて、チョッピングの休止区間を検出することができる。つまり、チョッピングの休止区間を検出し、所望の休止区間に対する偏差に応じて、直流電圧値を調整すれば、所望のチョッピングの休止区間が存在する様に制御することができる。
【００５１】
実施の形態１、２において、直流電源装置は、図１に示す様に、整流回路３の直流入力側でリアクタ２を短絡するという回路構成の場合において説明した。しかし、特開２００１−４５７６３の図１、特開２０１０−２４６２０４の図１に示された、交流電源をリアクタを介して開放・短絡するという特徴を有する直流電源装置においても同様な効果を奏することができる。
【産業上の利用可能性】
【００５２】
以上のように、本発明にかかる直流電源装置は、平滑用コンデンサの自己発熱を抑え、寿命を最大限に延長させると共に、平滑用コンデンサの小容量化を実現することが可能となるので、直流電源装置を具備しインバータを駆動するインバータ駆動装置、及びこれを用いた空気調和機や、他の電化製品への用途にも適用できる。
【符号の説明】
【００５３】
１  交流電源
２  リアクタ
３  整流回路
４  スイッチング素子
５  逆阻止ダイオード
６  平滑用コンデンサ
７  負荷
８  昇圧チョッパ回路
１１  交流電圧位相検出部
１２  電流検出部
１３  駆動部
１４  出力電圧検出部
１００  制御部
【図１】
2013021882.tif 000005
【図２】
2013021882.tif 000006
【図３】
2013021882.tif 000007
【図４】
2013021882.tif 000008
【図５】
2013021882.tif 000009
【図６】
2013021882.tif 000010